(57)【要約】【課題】  従来は録画データのほとんどは必要な番組データであったが、ハードディスクや光メディア等の記録領域の大幅な増加に伴い、録画データのほとんどは不要なデータになる。従って、「不要なデータを簡単に削除したい」という課題が発生する。【解決手段】  蓄積部３に録画済の番組データの中から、不要番組抽出部４において特定の番組データまたは番組情報に関連する番組データの抽出を行ない、不要番組削除命令１０３によって、特定の番組データ及び抽出した番組データを自動的に削除することを特徴とする、番組削除装置。  または抽出した不要番組情報一覧２０１をモニタ７に表示し、この情報を元にユーザが実際に削除する不要番組２０２を指定することも可能である、番組削除装置。【選択図】  図２
2006319692.tif 000002
【特許請求の範囲】
【請求項１】
番組データを記録媒体に記録する記録手段と、
該記録媒体に記録された複数の番組データのうち、所定条件に該当する番組データを抽出し、かつ該所定条件に該当する番組データに関連する番組データを抽出する不要番組抽出手段と、
を備えることを特徴とする番組データ処理装置。
【請求項２】
請求項１において、
前記記録手段は、前記番組データとともに記録する番組データに対応する番組情報を記録し、
前記不要番組抽出手段は、前記所定条件に該当する番組データに対応する番組情報から所定のキーワードを抽出し、該キーワードを用いて前記関連する番組データを抽出すること、
を特徴とする番組データ処理装置。
【請求項３】
請求項１または２において、
前記不要番組抽出手段は、不要番組として抽出した番組データを自動的に削除することを特徴とする番組データ処理装置。
【請求項４】
請求項１ないし３のいずれかにおいて、
表示手段を設け、
前記不要番組抽出手段は、不要番組として抽出した番組データの一覧を作成して該表示手段に表示し、該表示に基づいてユーザが選択した番組データを削除することを特徴とする番組データ処理装置。
【請求項５】
請求項１ないし４のいずれかにおいて、
前記所定条件とは、ユーザによる指定、所定のキーワード、記録後の経過時間、または未視聴期間からなる条件であることを特徴とする番組データ処理装置。
【請求項６】
請求項１ないし５のいずれかにおいて、
前記不要番組抽出手段による不要番組の抽出は、ユーザの指示によって実行されることを特徴とすることを特徴とする番組データ処理装置。
【請求項７】
請求項１ないし５のいずれかにおいて、
前記不要番組抽出手段による不要番組の抽出は、所定時間ごと、またはアイドル状態時、または所定時間前後でアイドル状態の時に、自動的に実行されることを特徴とする番組データ処理装置。
【請求項８】
請求項１ないし７のいずれかにおいて、
番組の削除を行なわない保護指定をする保護指定手段を備え、
前記不要番組抽出手段は、該保護指定手段による保護指定がされている番組を抽出しないことを特徴とする番組データ処理装置。
【請求項９】
請求項８において、
前記保護指定は、番組を指定、キーワードを指定、またはジャンルを指定して保護指定することであることを特徴とする番組データ処理装置。
【請求項１０】
請求項１ないし９において、
番組を予約録画する予約録画手段を備え、
前記不要番組抽出手段は、該予約録画手段が予約録画する番組データについても不要番組の抽出をし、
該予約録画手段は、予約録画しようとする番組が前記不要番組抽出手段によって抽出された不要番組である場合には、該予約録画を中止することを特徴とする番組データ処理装置。
【請求項１１】
請求項１０において、
前記予約録画手段は、キーワードを付加して録画し、
前記不要番組抽出手段は、録画した番組に付加されている該キーワードに基づいて不要番組の抽出をすることを特徴とする番組データ処理装置。
【請求項１２】
番組データを記録媒体に記録する記録手段と、
該記録部が記録した複数の番組データのうち、所定条件に該当する番組データおよび該所定条件に該当する番組データに関連する番組データを不要番組として抽出する不要番組抽出手段と、
を備えることを特徴とする番組データ処理装置。
【請求項１３】
番組データを記録するＨＤＤと、
該ＨＤＤに記録されている番組データの削除を制御するＣＰＵと、
該ＣＰＵに、該ＨＤＤに記録されている複数の番組データのうち、所定条件に該当する番組データを抽出する手順、および該所定条件に該当する番組データに関連する番組データを抽出する手順を実行させるプログラムを記憶しているＲＯＭと、
を備えることを特徴とする番組データ処理装置。
【発明の詳細な説明】
【技術分野】
【０００１】
本発明は、録画した番組データを処理する装置に関する。
【背景技術】
【０００２】
本技術分野の背景技術として、例えば、特開２００３−１７９８３９号公報（特許文献１）がある。該公報には、課題として「番組予約録画が可能な映像記録再生装置にあっては、例えば定期的に放映される同種の番組を予約録画する場合、同じ記録領域に上書きしたり、記録場所を考慮せずに上書きするため、録画されて保存されている予約番組が、視聴のための再生が行われないまま消去されてしまう不都合があった。」と記載され、解決手段として「ディスク型記録媒体２に、予約番組を記録するに際して、記録制御部５は、既に記録されている番組に関する情報を保持する記録情報保持部７の情報に基づいて、先週の同日時に記録された番組を削除して記録したり、記録番組数が所定数以上にならないように、記録された古い予約番組を優先的に削除して記録したり、再生された番組を優先して削除して記録するようにする。」と記載されている。
【０００３】
また他の背景技術として、例えば、特開２００１−３６８４６号公報（特許文献２）がある。該公報には、課題として「ユーザの嗜好に合った番組群をユーザに意識させることなく自動的に探して、その番組群を視聴予約または録画予約できるようにする。」と記載され、解決手段として「受信部１１により受信された放送波の受信データから分離部１２により分離されて記憶装置１９に記憶されたＥＰＧデータとユーザ入力装置５からの連続予約指定とに基づいて、その際にユーザ入力装置５から選択指定されている番組または現在視聴中または現在再生中の番組に関連する番組群をデータ処理部１７が探して、連続視聴予約または連続録画予約の設定を行い、記憶装置１９に記憶する。データ処理部１７は、記憶装置１９に記憶された予約設定内容に従い、設定された予約内容を実行する。」と記載されている。
【０００４】
また他の背景技術として、例えば、特開２００４−８６２８８号公報（特許文献２）がある。該公報には、課題として「大容量ストレージ機器に適切な記録コンテンツ管理の実現。」と記載され、解決手段として「記録媒体に記録されたコンテンツデータについては、その記録日時からの経過時間とジャンルによって算出されるコンテンツ年齢で管理され、コンテンツ年齢の高いものから優先的に自動削除する。またユーザーが自動削除させたくないコンテンツについては、削除禁止管理を指示できるようにし、削除禁止管理されたコンテンツデータは自動削除の対象から外す。また削除禁止管理については、上限値を設け、むやみに大量のコンテンツデータを削除禁止管理できないようにすることで、自動録画の際などの記録領域を確保できるようにする。」と記載されている。
【０００５】
【特許文献１】特開２００３−１７９８３９号公報（第１０頁、図１）
【特許文献２】特開２００１−３６８４６号公報（第１９頁、図１）
【特許文献３】特開２００４−８６２８８号公報
【発明の開示】
【発明が解決しようとする課題】
【０００６】
もともと、従来の技術では、録画済番組データの削除を行なう方式として、録画済の番組データの中からユーザが直接選択した番組データのみを削除する方式があった。従来はユーザがある程度録画する番組を選んで記録していたため、削除すべき番組データと必要な番組データの絶対数が少ないため、前記従来の技術を用いることが大きな課題にはならなかった。
【０００７】
しかしながら、ハードディスクや光メディア等の記録領域の大幅な増加に伴い、今後は全ての番組データを録画しておき、視聴時に必要なものだけ選択する方式に変わっていく。言い換えれば、従来は録画データのほとんどは必要な番組データであったが、今後は録画データのほとんどは不要なデータになる。また、これまでは必要であると判断した番組データのみ録画していたが、今後は録画した番組データの中に、必要な番組データが含まれているという状況になる。
【０００８】
このような状況の中で、「不要な番組データを簡単に削除したい」または「多量の番組データの中から必要な番組データを抽出して録画したい」という課題が発生する。
【０００９】
従来技術では、不要な番組データを簡単に削除する方式として、以下の方式が存在した。すなわち（１）番組録画後、所定時間経過した時点で、自動的に番組データの削除を行なう方式（例えば、特許文献１および３参照）である。
【００１０】
また、従来技術では、多量の番組データの中から必要な番組データを抽出して録画する方式として、以下の２つの方式が存在する。すなわち（２）記録した番組情報を元に、キーワード検索により必要な番組または、必要と思われる番組を抽出する方式、（３）記録済み番組を視聴した時点で関連性付けし、次回から自動録画する（例えば、特許文献２参照）。
【００１１】
上記のうち、（１）の技術によれば、あらかじめ記録された番組情報の中から簡単に不要データを削除可能である。ここでの不要データとは、所定時間経過した番組データである。
【００１２】
しかしながら、所定時間経過した番組データの中には必要なデータ、必要と思われるデータが存在するため、番組削除の精度に課題が残る。さらに、所定時間経過していない番組データに対しては、削除の対象にならないため、所定時間経過していない番組データの中での不要番組データの削除の実現が課題となる。
【００１３】
また、（２）の技術によれば、多量の番組データの中から必要な番組データまたは必要と思われる番組データをキーワード検索によって抽出する。しかしながら、その他の番組データに関しては、必要か不要かの判断は行なっておらず、削除も行なわないため、蓄積データ量の削減効果は得られない。
【００１４】
また、（３）の技術によれば、視聴した時点で関連つけを行ない、次回から自動的に録画する。しかしながら、（２）と同様、その他の番組データに関しては、必要か不要かの判断は行なっておらず、削除も行なわないため、蓄積データ量の削減効果は得られない。
【００１５】
本発明の目的は、録画された番組の削除に関する使い勝手を向上することである。
【課題を解決するための手段】
【００１６】
上記目的は、特許請求の範囲に記載の発明により達成される。
【発明の効果】
【００１７】
本発明によれば、録画された番組の削除に関する使い勝手が向上する。
【発明を実施するための最良の形態】
【００１８】
以下、本発明の実施の形態を、図面を用いて説明する。
【００１９】
図１は、本実施例を具体化するシステムの典型的な一例である。また、図５は、図１のシステムにおける番組録画フローの一例である。
【００２０】
本実施の形態は、記録部２で番組情報１００を取り込み、蓄積部３に番組データ１０１の蓄積を行なう番組録画システム１である。不要番組抽出部４は、記録部２から得た番組録画情報１０２を元に、「蓄積部３への番組録画後、未視聴期間がＮ時間以上の番組データＡ」を抽出するブロックである。Ｎは所定の時間である。また、「録画済の番組データの中から、番組データＡに関連する番組データＢ」を抽出するブロックである。また、抽出した前記番組データＡ及びＢを自動的に蓄積部３から削除するブロックである。
【００２１】
図９は、図１で示す番組録画システム１において、不要番組データの抽出を概念的に示した図である。番組録画済データの中には、ドラマＡが第１話から第３話まで、ドラマＢが第１０話から第１１話まで、野球番組、サッカー番組、料理番組が各１番組記録されている。その中で録画後、未視聴期間がＮ時間を超える番組データは、ドラマＡの第１話及び野球番組及びサッカー番組である。この場合、ドラマＡの第１話及び野球番組及びサッカー番組に加えて、ドラマＡの第１話に関連する番組データとして、ドラマＡの第２話及びドラマＡの第３話を抽出し、これら５番組データを不要データとして削除する。また、ドラマＡに関してはその後も、不要データに関連する情報として判断し、第４話以降も削除対象とする。また、録画を行なわなくても良い。
【００２２】
また、あらかじめ必要と判断した番組データに対しては、保護指定をつけることで、不要データの抽出対象から外すことが可能である。例えば、あらかじめドラマＡを保護指定しておけば、録画後、未視聴期間がＮ時間を越えた場合でも不要データとして抽出されない。図９に示す例では、この場合、不用データとして抽出される番組データは、野球番組及びサッカー番組の２番組となる。
【００２３】
図２は、本実施例を具体化するシステムの典型的な別の一例である。また、図６は、図２のシステムにおける番組録画フローの一例である。
【００２４】
本実施の形態は、記録部２で番組情報１００を取り込み、蓄積部３に番組データ１０１の蓄積を行なう番組録画システム１である。不要番組抽出部４は、記録部２から得た番組録画情報１０２を元に、「蓄積部３への番組録画後、未視聴期間がＮ時間以上の番組データＡ」を抽出するブロックである。Ｎは所定の時間である。また、「録画済の番組データの中から、番組データＡに関連する番組データＢ」を抽出するブロックである。また、抽出した前記番組データＡ及びＢ、すなわち不要番組一覧情報２００を表示部６に出力するブロックである。
表示部６は、不要番組一覧情報２００をモニタ７に表示２０１するためブロックである。
【００２５】
ユーザは、表示部７に示された不要番組データ一覧情報の中から、実際に削除する番組データを選択する。選択された不要番組データ情報２０２は不要番組抽出部４に入力され、対応する番組データを蓄積部３から削除する。
【００２６】
図３は、本実施例を具体化するシステムの典型的な別の一例である。また、図７（ｃ）は、図３のシステムにおける番組録画フローの一例である。
【００２７】
本実施の形態は、記録部２で番組情報１００を取り込み、蓄積部３に番組データ１０１の蓄積を行なう番組録画システム１である。不要番組抽出部４は、記録部２から得た番組録画情報１０２を元に、「設定されたキーワードまたは番組情報に一致する番組データＣ」を抽出するブロックである。また、「録画済の番組データの中から、番組データＣに関連する番組データＤ」を抽出するブロックである。また、抽出した前記番組データＣ及びＤを自動的に蓄積部３から削除するブロックである。キーワード／番組情報登録部５は、ユーザから指示されるキーワード／番組情報１０４を一時的に登録しておくブロックである。
【００２８】
図７（ａ）にキーワードの登録手段の一例を示す。ここではユーザは登録済のキーワード／番組情報を確認することができ、未登録済の場合には新規キーワード／番組情報として登録する。また、登録済キーワード／番組情報の中から一部を選択して番組削除に適用することもできる。
【００２９】
キーワード／番組情報の登録数有限であるが、そのままだと時間が経過するごとに増加していき、キーワード／番組情報登録部における登録数の限界を超えてしまう。
【００３０】
この回避方式の一例を図７（ｂ）に示す。ここではキーワード／番組情報の連続または累積未使用時間が所定時間Ｍ以上になった時点で登録抹消する。過去頻繁に使用していたが、最近は全く使用しない番組情報（例えば、過去に見てなかったドラマなど）を登録抹消することで、有限な登録数の有効利用を可能とする。
【００３１】
図４は、図３で示す実施例における不要番組データを自動削除するのではなく、抽出した不要番組データの一覧をモニタに表示し、この情報をもとに実際に削除する番組データをユーザが指定可能とするシステムの一例である。図８は、図４のシステムにおける番組録画フローの一例である。
【００３２】
図１０に、図３または図４で示す番組削除装置における不要番組データの抽出に関する概念図の一例を示す。例えば、ドラマＡの第１話を視聴中に、内容が面白くなくて今後はもう見ないと判断した時点で視聴中の番組をキーワード／番組情報１０４としてキーワード／番組情報登録部５に登録した場合、本番組録画システム１は、既に録画済のドラマＡの第２話及び第３話を不要番組データとして抽出し、自動的に削除を行なう。または不要番組データ一覧をモニタ２に表示し、ユーザに対して番組データの削除判断伺いを立てる。
【００３３】
本実施例では登録されたキーワード／番組情報を将来の録画判断に使用することも可能である。
【００３４】
図１２に、本実施例での不要番組データの抽出に関する概念図の一例を示す。例えば、ドラマＡの第１話を視聴中に、内容が面白くなくて今後はもう見ないと判断した時点で視聴中の番組をキーワード／番組情報１０４としてキーワード／番組情報登録部５に登録した場合、本番組録画システム１は、既に録画済のドラマＡの第２話及び第３話を不要番組データとして抽出し、自動的に削除を行なう。これに加えて、将来ドラマＡの第４話以降が放送された場合、録画自体を行なわないと判断することも可能である。また、録画は行ない、番組削除時にユーザに実際に削除するか否かの判断させても良い。
【００３５】
図１１に、本実施例での不要番組データの抽出に関する概念図の別の一例を示す。例えば、キーワード／番組情報１０４として、（１）ドラマＢ、（２）料理をキーワード／番組情報登録部５に登録した場合、本番組録画システム１は、既に録画済のドラマＢの第１０話及び第１１話および料理番組を不要番組データとして抽出し、自動的に削除を行なう。または不要番組データ一覧をモニタ２に表示し、ユーザに対して番組データの削除判断伺いを立てる。これに加えて、将来ドラマＢの第１２話以降が放送された場合、録画自体を行なわないと判断することも可能である。また、録画は行ない、番組削除時にユーザに実際に削除するか否かの判断させても良い。
【００３６】
図３または４で示す実施例では、番組記録時に、ユーザが指定するキーワードを付加して記録可能である。このキーワード情報を、前記特定の番組データまたは番組情報として、不要番組情報の抽出を行なうことで、特定のキーワードを付加した番組データの一括削除を可能とする。
【００３７】
図１３に、本実施例で示す番組削除装置における不要番組データの抽出に関する概念図の別の一例を示す。ここでは、番組録画前にそれぞれの番組にキーワードを付加して記録された番組データがある。このうち、ドラマＢ（第１０話）、ドラマＢ（第１１話）、料理番組の３つの録画済の番組データには「○○さん」というキーワードが付加されている。一時期話題になった○○さんに関する番組をキーワード付きで録画していたが、話題が過ぎてしまい、既に記録済の○○さん関連の番組はもう見ないので削除したいと考えた場合を考える。前記特定の番組データまたは番組情報として、○○さんというキーワードで不要番組を抽出することで、○○さん関連の番組データを簡単に削除可能となる。また、今後も○○さん関連の番組は見たくないと考えた場合にも有効である。
【００３８】
次に以上説明した実施例による番組データ処理装置の具体的な構成について説明する。
【００３９】
図１４は、番組データ処理装置の具体的な構成を示した図である。Ｔｕｎｅｒ１４０１は、放送された複数の番組データを受信し、その中から特定の番組データを抽出して入力Ｓｔｒｅａｍ（番組データを含む）としてＤｅｍｕｘ１４０３に出力するものである。またＥＰＧ（番組情報）も受信してＤｅｍｕｘ１４０３に出力する。ＣＰＵ１４０２は、Ｄｅｍｕｘ１４０３で分離されたＥＰＧ（番組情報）や制御情報を受信し、また不図示の操作部からの信号により、各回路に対して所定の制御をするものである。より詳細には、例えば、ＥＰＧ（番組情報）管理、ＨＤＤコンテンツ管理、不要番組抽出処理などである。これらは、不図示のＲＯＭに格納されたプログラムによって動作される。Ｄｅｍｕｘ１４０３はＴｕｎｕｅｒ１４０１が出力した入力Ｓｔｒｅａｍから、所定の情報を分離して所定の回路に出力するものである。より詳細には、ＨＤＤ１４０４に記録するＳｔｒｅａｍや管理情報を分離してＨＤＤ１４０４に出力し、また、ＥＰＧ（番組情報）や制御情報を分離してＣＰＵ１４０２に出力する。また、Ｔｕｎｅｒ１４０１あるいはＨＤＤ１４０４から入力されたＳｔｒｅａｍから再生するＳｔｒｅａｍをＡ／ＶＤｅｃｏｄｅｒ１４０５に出力する。ＨＤＤ１４０４は、Ｄｅｍｕｘ１４０３から出力された記録するＳｔｒｅａｍや管理情報を記録し、またこれらを再生するものである。Ａ／ＶＤｅｃｏｄｅｒ１４０５は、Ｄｅｍｕｘ１４０３から出力された再生するＳｔｒｅａｍをデコードして、映像をＭｏｎｉｔｏｒ１４０７に、音声をＳｐｅａｋｅｒ１４０６に出力するものである。
【００４０】
次に、番組データ処理装置の表示画面について説明する。
【００４１】
図１５は、不要番組抽出部が抽出した削除番組候補を一覧表示する表示画面である。（ａ）は、不要番組抽出部が抽出した削除番組候補を一覧表示する最初の画面であり、削除するか否かをユーザが選択するチェックボックス、属性、タイトル、記録日、削除レベルが表示されている。そして、「削除したい番組を選んでください」というコメントが表示されている。（ｂ）は、不図示の操作部によってユーザが削除する番組を選択したときの表示画面である。「チェックした番組を削除してよろしいでしょうか？」とのコメントが表示されている。（ｃ）は、上記（ｂ）においてユーザが「はい」を選択したところである。
【００４２】
図１６は、抽出した不要番組を削除するときの表示画面である。
【００４３】
（ａ）は、不要番組を削除している途中の表示画面であり、「削除中です  しばらくお待ちください」とのコメントが表示されている。（ｂ）は、削除が完了したときの表示画面であり、「削除終了しました」とのコメントが表示されている。そして、削除番組候補一覧には、図１５（ｂ）にてユーザが選択した番組が削除されたため表示が消え、残りの番組だけが表示されている。なお、このとき、削除番組一覧にあるもので、削除指示しなかった番組（上記野球中継）は、未視聴期間を０時間に初期化し一度見たことにすることで、次回削除番組候補一覧には表れないようにする。または、削除番組候補には上げるが、削除レベルを下げても良い。
【００４４】
なお、上記表示画面では、属性、タイトル、記録日、削除レベルでの並び替えが可能であり、また複数による並べ替えも可能である。図１６（ｃ）に記録日で並べ替えたときの表示画面を示す。
【００４５】
図１７は、「見ない指定」をするときの表示画面である。「見ない指定」とは、番組視聴中や視聴後に、その番組が面白くなかった場合に、不図示の操作部に備えられた「もう見ないボタン」を操作することにより（あるいはメニューボタンと十字キーと決定ボタン等を操作するソフト的なボタンでも構わない）、その番組を不要番組とするものであり、次回の不要番組抽出時にこの番組およびこの番組に関連する番組が抽出される。（ａ）はある番組を視聴中に「もう見ないボタン」が押されたときの表示画面である。「見ない指定」をしますか？とのコメントが表示されている。（ｂ）は、このコメントに「はい」とユーザが選択した表示画面である。これにより、この番組が「見ない指定」された。（ｃ）は「見ない指定」された番組の一覧をしている表示画面である。（ｂ）にてユーザが「見ない指定」した番組が表示されている。また、この一覧表示の画面で「見ない指定」の解除もできる。
【００４６】
図１８（ａ）は、図１７において「見ない指定」した後に不要番組の抽出処理をしたときの表示画面である。図１７において「見ない指定」した番組、およびその番組に関連する番組が表示されている。また図１８（ｂ）は、関連する番組を削除する際のキーワードを表示する画面である。図１７において「見ない指定」した番組のタイトルがキーワードとして抽出され、このキーワードを有する他の関連する番組が抽出されている。
【００４７】
ＥＰＧ（番組情報）の中には、番組のタイトルや出演者や番組に関連する情報が含まれている。これらの情報からキーワード抽出することで、削除番組を探し出す種とする。
【００４８】
ドラマなどは、タイトル情報を用いることで、関連するドラマを抽出することができる。また、第１話を見て楽しくなかった場合に、ユーザがその番組に対する削除指定をした後は、第２話以降の番組や、その番組に関連する番組も削除対象として抽出することで、削除を容易にする。
【００４９】
また、野球中継はタイトルや、番組情報から「どの球団か？」「生中継か？」「球状はどこか？」などを抽出することで、例えばＡ球団以外の試合に興味がない人は、「どの球団か？＝Ａ球団でない」野球中継を削除対象として抽出することができる。また、Ａ球団以外は興味がないとこれまでの視聴から統計的に判断した場合には、Ａ球団以外の球団に関連するスポーツ番組や特別番組を削除対象として抽出することができる。
【００５０】
以上説明したような実施の形態によれば、録画された全ての番組データの中から不要番組データを抽出して削除することで、必要な番組データまたは必要と思われる番組データの発見を容易にするとともに、ハードディスクや光メディアといった蓄積容量の有効利用を実現するシステム、方法及び機器の提供を可能とする。
【図面の簡単な説明】
【００５１】
【図１】本実施例を具体化するシステムの典型的な一例である。
【図２】本実施例を具体化するシステムの典型的な別の一例である。
【図３】本実施例を具体化するシステムの典型的な別の一例である。
【図４】本実施例を具体化するシステムの典型的な別の一例である。
【図５】図１に示す番組削除装置１における番組削除処理フローの一例である。
【図６】図２に示す番組削除装置１における番組削除処理フローの一例である。
【図７】図２及び図３に示す番組削除装置１におけるキーワード／番組情報登録／番組削除処理フローの一例である。
【図８】図４に示す番組削除装置１における番組削除処理フローの一例である。
【図９】図１に示す番組削除装置１における番組削除概念図の一例である。
【図１０】図３または４に示す番組削除装置１における番組削除概念図の一例である。
【図１１】図３または４に示す番組削除装置１における番組削除概念図の別の一例である。
【図１２】図３または４に示す番組削除装置１における番組削除概念図の別の一例である。
【図１３】図３または４に示す番組削除装置１における番組削除概念図の別の一例である。
【図１４】番組データ処理装置の具体的な構成を示した図である。
【図１５】不要番組抽出部が抽出した削除番組候補を一覧表示する表示画面である。
【図１６】抽出した不要番組を削除するときの表示画面である。
【図１７】「見ない指定」をするときの表示画面である。
【図１８】「見ない指定」した後に不要番組の抽出処理をしたときの表示画面である。
【符号の説明】
【００５２】
１    番組削除装置
２    記録部
３    蓄積部
４    不要番組抽出部
３    蓄積部
１００    番組情報
１０１    番組データ
１０２    番組録画情報
１０３    不要番組データ削除命令
【図１】
2006319692.tif 000003
【図２】
2006319692.tif 000004
【図３】
2006319692.tif 000005
【図４】
2006319692.tif 000006
【図５】
2006319692.tif 000007
【図６】
2006319692.tif 000008
【図７】
2006319692.tif 000009
【図８】
2006319692.tif 000010
【図９】
2006319692.tif 000011
【図１０】
2006319692.tif 000012
【図１１】
2006319692.tif 000013
【図１２】
2006319692.tif 000014
【図１３】
2006319692.tif 000015
【図１４】
2006319692.tif 000016
【図１５】
2006319692.tif 000017
【図１６】
2006319692.tif 000018
【図１７】
2006319692.tif 000019
【図１８】
2006319692.tif 000020